(57)【特許請求の範囲】
【請求項１】
給油機構を収納した下部ケースと、該下部ケースから上方に延びる支柱を介して蛍光灯よりなる照明器具を収納した上部ケースを取付けた給油装置において、
前記上部ケースは上部ケース本体と透光性部材を有する下面ケースとより構成され、前記上部ケース本体には蛍光灯の取付け端部より離間した位置にそれぞれブラケットの一方を固定することで、コ字状のブラケットを両端の突出部が上部ケース本体の長さ方向において向き合うように、上部ケース本体の幅方向の中心位置に設け、該ブラケットに、前記中心位置に対してずれた位置で、前記中心位置に対して対称な位置に、垂直方向に長孔を形成し、該長孔より小さい径のガイド部材がブラケットの長孔を挿通し、前記ガイド部材の一端をそれぞれ前記下面ケースに固着し、前記下面ケースは前記ブラケットの他方に止め具により取り付けられていることを特徴とする給油装置。
【発明の詳細な説明】
【０００１】
【発明の属する技術分野】
本発明は、給油機構を収納した下部ケースと、該下部ケースから上方に延びる支柱を介して上部ケースを取付けた給油装置に関するものである。
【０００２】
【従来の技術】
近年給油所では、給油所全体のイメージで客を誘致できるように豪華なものとなってきている。そして、ここに設置される給油装置についても目立つように照明器具などを付設した大型のものを設置する所が多い。このような給油装置としては特願平６−２２８９９７号公報に示すように、高所の上部ケース内に蛍光灯よりなる照明器具を設け、下方に光を照明するための透光性部材を有する下面ケースより道路を走行する車に対して、給油装置の存在感をアピールしたり、夜間における給油エリアでの作業に関わる照明に用いられている。
【０００３】
【発明が解決しようとする課題】
ところで、前記照明器具の蛍光灯を交換する際には、高所に設置されているので脚立等を使用して下面ケースを取り外さなければならない。前記下面ケースはビス等を外すと上部ケースのハウジングより外れてしまうので別の作業員に保持してもらうか、又は脚立の麓に置かなければならないので、下面ケースを外す手間がかかるばかりでなく、高所に設置されているので取外しには危険をともなうという不都合があった。
【０００４】
本発明はこのような問題に鑑みてなされたものであって、その目的とするところは、下面ケースを外すことなく高所に設置された蛍光灯を簡単に交換することのできる給油装置を提供することである。
【０００５】
【課題を解決するための手段】
このような問題を解消するために本発明は、給油機構を収納した下部ケースと、該下部ケースから上方に延びる支柱を介して蛍光灯よりなる照明器具を収納した上部ケースを取付けた給油装置において、前記上部ケースは上部ケース本体と透光性部材を有する下面ケースとより構成され、記上部ケース本体には蛍光灯の取付け端部より離間した位置にそれぞれブラケットの一方を固定することで、コ字状のブラケットを両端の突出部が上部ケース本体の長さ方向において向き合うように、上部ケース本体の幅方向の中心位置に設け、該ブラケットに、前記中心位置に対してずれた位置で、前記中心位置に対して対称な位置に、垂直方向に長孔を形成し、該長孔より小さい径のガイド部材がブラケットの長孔を挿通し、前記ガイド部材の一端をそれぞれ前記下面ケースに固着し、前記下面ケースは前記ブラケットの他方に止め具により取り付けられていることを要旨とするものである。
【０００６】
本発明によれば、下面ケースはガイド部材を介してブラケットの長孔内で保持される。そして、前記ブラケットは上部ケース本体の幅方向の中心位置に取付けられ、前記長孔は前記中心位置に対してずれた位置で、前記中心位置に対して対称な位置に、設けられている。そこで、ガイド部材の長孔内の高さが相互に異なれば、下面ケースは重心がずれて一方に傾いて上部ケース本体と下面ケースとの間に開口を形成するので蛍光灯の交換が容易となる。
【０００７】
さらに、前記ブラケットの長孔は中心位置に対して対称な位置に２本設けられているので、給油装置の前後どちらかの一方に上部ケース本体と下面ケースとの間に開口を形成することができる。
【０００８】
また、前記ブラケットはコ字状に形成され、両端の突出部が向き合うよう上部ケース本体に固定されているので、前記下面ケースの端部とガイド部材が固着された位置にかかる加重を少なくでき、下面ケースがガイド部材を介してブラケットで保持されているときに下面ケースの落下等を防止できる。
【０００９】
【発明の実施の形態】
以下、本発明の実施の形態を図面に基づいて説明する。図１に示すように例えば、ハイオクタンガソリン、レギュラーガソリン、軽油などを給油するために先端に給油ノズル１を有する給油ホース２を逆Ｕ字形にリトラクター３からワイヤー４を介して吊り下げた給油装置であり、その下部ケース５内にはそれぞれの油種を給油する給油機構が収納され、前記下部ケース５の一方の端部側に沿って垂直に支柱６が立設され、該支柱６の上部には給油エリアを照明する蛍光灯７等を有した照明器具を取付けた上部ケース本体８とアクリル樹脂等で形成された透光性部材を有するパネル９を組み込んだ下面ケース１０とより構成される上部ケース１１が取り付けられている。なお、図中符号１２は給油量を表示する表示器である。
【００１０】
図２に示すように、上部ケース本体８には蛍光灯７の取付け端部であるソケット２１より離間した位置に、コ字状のブラケット２３が固定される。
【００１１】
ブラケット２３は上部ケース本体８の幅方向Ｘの中心位置に設けられ、かつ、上部ケース本体の長さ方向において端部の突出部２４が向き合うようにそれぞれ固定されている。
【００１２】
ブラケット２３は上部ケース本体８の幅方向Ｘの中心位置に対してずれた位置で、前記中心位置に対して対称な位置に、垂直方向に長孔２２を２本形成した。
【００１３】
前記長孔２２の一方にガイド部材２５を挿通して端部をブラケット２３に形成した前記長孔２２のどちらか一方の位置に合致した固定部２６に固定して、長孔２２内の距離をガイド部材２５を介して下面ケース１０が昇降できるようになっている。なお、図中符号２７はガイド部材２５が長孔２２より抜けることを防止する抜止めである。
【００１４】
前記ブラケット２３の他方は下面ケース１０と当接してビス２８を挿通してナット２９等の止め具で固定される。
【００１５】
次に本発明の給油装置の蛍光灯７を交換する作業を図２、図３で説明する。まず下面ケース１０の底部にある二カ所のビス２８を外すと、下面ケース１０が上部ケース本体８より外れて上部ケース本体８に固定したブラケット２３の長孔２２の下端までガイド部材２５を介して下面ケース１０が下降して、上部ケース本体８と下面ケース１０との間に開口を形成して保持される。このときブラケット２３と下面ケース１０の固定部２６との距離を短くすれば固定部２６にかかる力を少なくできる。
【００１６】
長孔２２は中心よりずれた位置に形成されているので、下面ケース１０の重心がずれて給油装置の手前側に傾いて大きな開口が形成される。また、下面ケースを１０を奥側に傾けたければガイド部材２５を長孔２２の他方に挿入すればよい。この開口より手を入れて蛍光灯７の交換を行い、作業終了後、下面ケース１０を持ち上げて前記ブラケット２３の一方に当接させてビス２８を締め付ければ、上部ケース本体８と下面ケース１０とが固定される。
【００１７】
【発明の効果】
本発明に係る給油装置は以上詳述に述べた如くであって、高所に設けた蛍光灯を交換するときに上部ケース本体と下面ケースとの間に開口を形成して下面ケースが保持されるので、下面ケースを外す手間を省け、容易に交換ができる。
【００１８】
また、下面ケースは上部ケースの長さ方向に対して反対に取付けると、下面ケースと上部本体ケースとの開口が反対側に形成されるので、給油装置の前後どちらからでも交換できる。さらに、ブラケットと下面ケースの固定部との距離を短くすれば固定部にかかる力を少なくできるので、蛍光灯の交換時に下面ケースが落下するような事故を防止できる。
【図面の簡単な説明】
【図１】  本発明の実施例を示す正面図である。
【図２】  本発明の給油装置の上部ケースの構造を示す要部の断面図である。
【図３】  本発明の下面ケースが開いた状態を示す説明図である。
【符号の説明】
１  給油ノズル
２  給油ホース
３  リトラクター
４  ワイヤー
５  下部ケース
６  支柱
７  蛍光灯
８  上部ケース本体
９  パネル
１０  下面ケース
１１  上部ケース
１２  表示器
２１  ソケット
２２  長孔
２３  ブラケット
２４  突出部
２５  ガイド部材
２６  固定部
２７  抜止め
２８  ビス
２９  ナット
【図１】
0003733647.tif 000002
【図２】
0003733647.tif 000003
【図３】
0003733647.tif 000004